(57)【要約】【課題】差込柵に差込柵用カバーを装着したとしても、カバーの機能を確保しつつ差込柵を把持しやすいベッド装置等を提供すること。【解決手段】外周部を形成する枠状部材と、当該枠状部材の内周部の水平方向に沿って設けられた横部材とにより上部に矩形空間部が形成され、横部材から下方に設けられた縦部材、横部材及び枠状部材により隙間が形成される差込柵と、軟質性部材によって形成されたカバー本体と、カバー本体を差込柵に装着したときに、カバー本体を固定するための固定部材とを有する差込柵用カバーと、前記差込柵は、ベッド本体の側部にベッド本体の長手方向に沿って設けられるベッド装置において、前記カバー本体は、差込柵の横部材より下方に挟み込むように装着することにより、前記隙間を閉塞し、かつ、前記矩形空間部が開口された状態にて前記差込柵用カバーが装着されることを特徴とする。【選択図】図３
2011103927.tif 000002
【特許請求の範囲】
【請求項１】
外周部を形成する枠状部材と、当該枠状部材の内周部の水平方向に沿って設けられた横部材とにより上部に矩形空間部が形成され、横部材から下方に設けられた縦部材、横部材及び枠状部材により隙間が形成される差込柵と、
軟質性部材によって形成されたカバー本体と、カバー本体を差込柵に装着したときに、カバー本体を固定するための固定部材とを有する差込柵用カバーと、を有し、
前記差込柵は、ベッド本体の側部にベッド本体の長手方向に沿って設けられるベッド装置において、
前記カバー本体は、差込柵の横部材より下方に挟み込むように装着することにより、前記隙間を閉塞し、かつ、前記矩形空間部が開口された状態にて前記差込柵用カバーが装着されることを特徴とすることを特徴とするベッド装置。
【請求項２】
前記固定部材が、前記カバー本体を固定する位置を調整可能な構造を有しており、当該固定する位置を調整することにより、前記差込柵に応じて前記カバー本体が装着される領域を可変させることができることを特徴とする請求項１に記載のベッド装置。
【請求項３】
前記カバー本体は、透光性を有する部材であることを特徴とする請求項１に記載のベッド装置。
【請求項４】
外周部を形成する枠状部材と、当該枠状部材の内周部の水平方向に沿って設けられた横部材とにより上部に矩形空間部が形成され、横部材から下方に設けられた縦部材、横部材及び枠状部材により隙間が形成される差込柵に装着される差込柵用カバーであって、
軟質性部材によって形成されたカバー本体と、カバー本体を差込柵に装着したときに、カバー本体を固定するための固定部材とを有し、
前記カバー本体は、差込柵の横部材より下方に挟み込むように装着することにより、前記隙間を閉塞し、かつ、前記矩形空間部が開口された状態にて前記差込柵用カバーが装着されることを特徴とすることを特徴とする差込柵用カバー。
【発明の詳細な説明】
【技術分野】
【０００１】
本発明は、ベッド本体の側部にベッド本体の長手方向に沿って差込柵が設けられるベッド装置等に関する。
【背景技術】
【０００２】
従来から、ベッド装置の側部に、ベッド装置を利用する被介助者や、寝具等の転落を防止するために、差込柵（側柵）が設けられている。差込柵は、通常ベッド装置のサイドフレームに形成されている取付穴に着脱可能に取り付けられている。
【０００３】
この、差込柵は、柵部をスチール製、アルミ製等の金属パイプ等で構成されている。そのために、就寝中に無意識に手足をぶつけたり、柵の間に挟み込まれたりすることにより怪我をするといった問題点があった。
【０００４】
そこで、上記問題点を解決するために、差込柵を例えばビニールレザー製のカバーで覆うといった製品等が知られている（例えば、特許文献１参照）。柵部全体をビニールレザー製のカバーで覆うことにより、安全性が確保されることと合わせ、透明なカバーを利用することにより、介助者からの視認性を確保することができる。
【先行技術文献】
【特許文献】
【０００５】
【特許文献１】特開平１０−３３５９８号公報
【発明の概要】
【発明が解決しようとする課題】
【０００６】
ここで、差込柵は、被介助者が移動する場合や、介助者が被介助者を介助する場合に利便性に鑑み取り外されることが多い。このとき、被介助者が差込柵を容易に取り外すことが出来るように、差込柵の上部に把持するための矩形の空間を設けた差込柵が知られている。
【０００７】
近年、介護が行われる現場としては、病院や施設に限られず、自宅で行われる（自宅介護）ことも多く、ベッド装置が利用される場所は様々である。ここで、病院や施設等のように、専門の介助者が作業を行うことに比べ、自宅介護において利用される場合、差込柵の取り付け、取り外しは家族等が行う場合が多くなる。
【０００８】
特に自宅介護の場合、事故防止の点から差込柵用カバーを装着させて使用されることが多いが、差込柵用カバーが装着された場合、把持する空間も総てカバーで塞がれるため、家族等の介助者が差込柵を把持しにくいといった問題点が生じていた。
【０００９】
また、把持する空間を確保するためには、差込柵を着脱する度に差込柵用カバーを装着したり、外したりする必要があり、被介助者にとって負担が大きいという問題点が生じていた。
【００１０】
上述した課題に鑑み、本発明が目的とするところは、差込柵に差込柵用カバーを装着したとしても、カバーの機能を確保しつつ差込柵を把持しやすいベッド装置等を提供することである。
【課題を解決するための手段】
【００１１】
上述した課題に鑑み、本発明のベッド装置は、外周部を形成する枠状部材と、当該枠状部材の内周部の水平方向に沿って設けられた横部材とにより上部に矩形空間部が形成され、横部材から下方に設けられた縦部材、横部材及び枠状部材により隙間が形成される差込柵と、軟質性部材によって形成されたカバー本体と、カバー本体を差込柵に装着したときに、カバー本体を固定するための固定部材とを有する差込柵用カバーと、を有し、前記差込柵は、ベッド本体の側部にベッド本体の長手方向に沿って設けられるベッド装置において、前記カバー本体は、差込柵の横部材より下方に挟み込むように装着することにより、前記隙間を閉塞し、かつ、前記矩形空間部が開口された状態にて前記差込柵用カバーが装着されることを特徴とする。
【００１２】
また、本発明のベッド装置は、前記固定部材が、前記カバー本体を固定する位置を調整可能な構造を有しており、当該固定する位置を調整することにより、前記差込柵に応じて前記カバー本体が装着される領域を可変させることができることを特徴とする。
【００１３】
本発明の差込柵用カバーは、外周部を形成する枠状部材と、当該枠状部材の内周部の水平方向に沿って設けられた横部材とにより上部に矩形空間部が形成され、横部材から下方に設けられた縦部材、横部材及び枠状部材により隙間が形成される差込柵に装着される差込柵用カバーであって、軟質性部材によって形成されたカバー本体と、カバー本体を差込柵に装着したときに、カバー本体を固定するための固定部材とを有し、前記カバー本体は、差込柵の横部材より下方に挟み込むように装着することにより、前記隙間を閉塞し、かつ、前記矩形空間部が開口された状態にて前記差込柵用カバーが装着されることを特徴とすることを特徴とする。
【発明の効果】
【００１４】
本発明によれば、外周部を形成する枠状部材と、当該枠状部材の内周部の水平方向に沿って設けられた横部材とにより上部に矩形空間部が形成され、横部材から下方に設けられた縦部材、横部材及び枠状部材により隙間が形成される差込柵に差込柵用カバーを装着する場合に、前記隙間を閉塞しつつ、前記矩形空間部が開口された状態にて前記差込柵用カバーが装着されることとなる。したがって、例えばベッド装置を利用する非介助者にとっては、隙間が閉塞されていることから安全性が確保でき、介助者にとっては矩形空間部が開口されていることから、差込柵用カバーを装着したままの状態で、枠状部材の上端を把持することができる。
【図面の簡単な説明】
【００１５】
【図１】第１実施形態における差込柵用カバーを装着した差込柵を設けたベッド装置の斜視図である。
【図２】第１実施形態における差込柵用カバーを装着した差込柵を設けたベッド装置の側面図である。
【図３】第１実施形態における差込柵に、差込柵用カバーを装着した状態を示す図である。
【図４】第１実施形態における差込柵用カバーを説明する為の図である。
【図５】第１実施形態における差込柵用カバーを説明する為の図である。
【図６】第１実施形態における使用状態を説明する為の図である。
【図７】第２実施形態における差込柵に、差込柵用カバーを装着した状態を示す図である。
【図８】第２実施形態における差込柵に、差込柵用カバーを装着した状態を示す図である。
【図９】第２実施形態における差込柵に、差込柵用カバーを装着した状態を示す図である。
【発明を実施するための形態】
【００１６】
以下、図面を参照して本発明を実施するための最良の形態について説明する。
〔第１実施形態〕
まず、図１は、本発明を適用したベッド装置１について説明するための斜視図である。ベッド装置１は、ベッド本体５０に差込柵用カバー１０が装着された差込柵１００が取り付けられている。また、図２は、差込柵１００と、装着された差込柵用カバー１０との様子を説明するために、ベッド装置１の側面を示した図である。また、図３は、差込柵１００を示した図であり、差込柵用カバー１０が装着された状態を示している。
【００１７】
差込柵１００は、ベッド本体５０におけるサイドフレームの取付穴５２に、着脱可能に設けられたパイプ材（軸状部材）で構成されたもので、取付穴５２に差し込む脚パイプ部１０２と、当該脚パイプ部１０２と、差込柵の外周を形成する枠状部材として、枠パイプ部１０４により構成されている。
【００１８】
また、脚パイプ部１０２の上端部と、枠パイプ部１０４の水平方向の左右両端部との間には、横部材として横パイプ部１０６が水平に架設されている。さらに、横パイプ部１０６と、枠パイプ部１０４の下端部との間には、縦部材として複数の縦パイプ部１０８が横パイプ部１０６から垂直に架設されている。
【００１９】
このように、枠パイプ部１０４の上端部と、横パイプ部１０６と、枠パイプ部１０４の左右両端部とにより把持矩形空間部１２０が形成されている。また、縦パイプ部１０８と、横パイプ部１０６と、枠パイプ部１０４とにより複数の隙間１２２が形成されている。ここで、差込柵用カバー１０については、図４に示す。
【００２０】
図４は、差込柵用カバー１０の展開図であり、カバー本体を示した図である。ここで、差込柵用カバー１０は、例えばビニールレザー等の軟質製部材で構成されている。また、差込柵用カバー１０は、視認性を確保するために、透光性を有する部材により構成されている。そして、折り曲げ箇所１２を中心に二つ折りにし、横パイプ部１０６を挟み込むようにして装着する。これにより、複数の隙間１２２が閉塞されることとなる。
【００２１】
差込柵用カバー１０の下端には枠パイプ部１０４の下端に巻装するためのマチ１４、両端には枠パイプ部１０４の左端／右端に巻装するためのマチ１６を有している。また、マチ１４には差込柵用カバー１０を固定するための固定部材として、例えばホック２０や面ファスナ２２を備えている。
【００２２】
図５は、差込柵用カバー１０の装着状態を説明するための図である。まず、折り曲げ箇所１２を中心に２つ折りにし、横パイプ部１０６に当接されるように挟み込んで装着する。また、下端のマチ１４及び両端のマチ１６については、枠パイプ部１０４を巻き込むように折り曲げる。そして、ホック２０（一方にオスホック、他方にメスホックを有し、互いに嵌合して固定される）や、面ファスナ２２（２つの面ファスナ２２が接合することにより固定される）により、差込柵用カバー１０が、差込柵１００からずれないように固定される。
【００２３】
ここで、ホック２０と、面ファスナ２２については、差込柵用カバー１０が固定されるに十分な位置に配置されればよく、片方の部材だけ使用してもよく、両方の部材を組み合わせて使用しても良い。
【００２４】
このとき、折り曲げ箇所１２が横パイプ部１０６に当接され、横パイプ部１０６より下方に挟み込むように装着されていることから、把持矩形空間部１２０については開口（閉塞されていない）状態となる。従って、図６に示す用に、被介助者は、把持矩形空間部１２０に手を入れることにより、枠パイプ部１０４の上端を把持することができ、差込柵１００を容易に取り付け、取り外しをすることが出来るようになる。
【００２５】
このように、本実施形態によれば、差込柵用カバーを装着した状態であっても、差込柵を把持するための空間が確保できるため、被介助者等の利用者が容易に差込柵の取り付け、取り外し等を行うことができる。また、差込柵用カバーが装着されていることにより、介助者等が差込柵の隙間等に挟み込まれてしまうといったことを防止することも出来る。さらに、透光性を有する部材を利用することにより、介助者及び非介助者の視認性を確保することができる。
【００２６】
また、被介助者が体を動かす場合に、差込柵を把持する空間が確保されていることから、枠パイプ部の上端を把持することにより、簡易的に体を支えるといったことも可能となる。
【００２７】
〔第２実施形態〕
続いて、第２実施形態について、説明する。第２実施形態は、マチの長さを調整することにより、サイズの異なる差込柵に装着可能な差込柵用カバーについて説明する。
【００２８】
すなわち、ベッド装置の大きさや取り付ける箇所により大きさの異なる差込柵が複数存在する。本実施形態では、一つの差込柵用カバーで種々の大きさの差込柵に適応可能な差込柵用カバーを利用したベッド装置について説明する。
【００２９】
まず、図７は高さの異なる差込柵を表した図である。図７（ａ）と比較して、図７（ｂ）は、高さが低い（垂直方向が短い）差込柵となっている。この場合、マチ１４を差込柵用カバーの高さに応じて内部に収納することにより、装着される位置（カバーされる領域）が調整可能となる。
【００３０】
図８は、固定部材を含めたマチ１４の部分を拡大した図である。例えば、図８（ａ）に示すように、マチ１４にホック２０ａと、ホック２０ｂと２段階設けられている。このホック２０の固定位置により、差込柵用カバー全体の高さが調整可能となり、異なるサイズの差込柵に対応させることができる。
【００３１】
図８（ｂ）は、マチ１４により固定する箇所の断面を示した図である。マチ１４は、枠パイプ部１０４の下端部を巻きつけるように取り付けられ、ホックにより固定される。ここで、外側に設けられたホック２０ｃがホック２０ａに嵌合されると背の高い差込柵に、ホック２０ｃがホック２０ｂに嵌合されると背の低い差込柵にそれぞれ対応させることが可能となる。
【００３２】
なお、本実施形態においては、ホック２０を２カ所、すなわち２つの高さの異なる差込柵に対応することとして説明しているが、ホック２０を複数箇所もうけることとしてもよい。また、ホックの代わりに面ファスナを利用することにより、柔軟に差込柵の高さに対応させるといったことが可能となる。
【００３３】
また、図９は、水平方向の長さが異なる差込柵について説明するための図である。図９（ａ）〜（ｃ）は、上記説明していた差込柵より水平方向に短い差込柵について示した図である。
【００３４】
この場合、差込柵用カバーの一端（例えば左端部）のマチ１６に、新たな固定部材として固定ベルト３０を設けることとする。固定ベルト３０には、ホック３２が設けられている。差込柵用カバーの左端部を、枠パイプ部１０４の左端部に巻きつける。そして、その外側をマチ１６が覆うように巻きつけ、固定ベルト３０を用いてホック３２と、ホック２０とを嵌合し固定する。これにより、水平方向の長さが異なる差込柵についても、適切に取り付けることが可能となる。
【００３５】
なお、図９においては固定ベルト３０を用いて固定しているが、例えばマチ１６の裏に面ファスナを設けることにより、柔軟に差込柵の長さに対応させるといったことが可能となる。
【００３６】
〔変形例〕
以上、この発明の実施形態について図面を参照して詳述してきたが、具体的な構成はこの実施形態に限られるものではなく、この発明の要旨を逸脱しない範囲の設計等も特許請求の範囲に含まれる。
【００３７】
上述した実施形態においては、差込柵用カバー１０の折り曲げ箇所１２を、横パイプ部１０６に当接させて装着する場合について説明したが、枠パイプ部１０４の上端に当接させるように装着させて使用しても良い。この場合は、把持矩形空間部１２０についても塞がれることとなり、従来の差込柵用カバーと同様の使い方が可能となる。
【００３８】
例えば、病院において重症患者に使用するために、総ての隙間を塞ぐ必要が有る場合等であっても、本発明を適用した差込柵用カバーを用いることにより適応できるといった特徴を有する。
【符号の説明】
【００３９】
１  ベッド装置
１０  差込柵用カバー
１２  折り曲げ箇所
１４、１６  マチ
２０、２０ａ、２０ｂ、２０ｃ  ホック
２２  面ファスナ
３０  固定ベルト
３２  ホック
５０  ベッド本体
５２  取り付け穴
１００  差込柵
１０２  脚パイプ部
１０４  枠パイプ部
１０６  横パイプ部
１０８  縦パイプ部
１２０  把持矩形空間部
１２２  隙間
【図１】
2011103927.tif 000003
【図２】
2011103927.tif 000004
【図３】
2011103927.tif 000005
【図４】
2011103927.tif 000006
【図５】
2011103927.tif 000007
【図６】
2011103927.tif 000008
【図７】
2011103927.tif 000009
【図８】
2011103927.tif 000010
【図９】
2011103927.tif 000011